(57)【特許請求の範囲】
【請求項１】
少なくともモニタ装置に表示される映像情報及び該映像情報の記録時間を示す情報であるビデオマーカ情報を記録情報としてビデオテープに斜め記録して該ビデオマーカ情報が長手方向の所定位置であって上記映像情報と異なる位置に記録されるように記録トラックを形成し再生するようなビデオテープレコーダ装置であって、
上記ビデオテープに記録された記録情報を再生して出力する再生手段と、
上記再生手段からの記録情報のうち、上記ビデオマーカ情報を検出して出力するビデオマーカ処理手段と、
上記ビデオテープの走行状態を制御する走行系と、
上記ビデオマーカ処理手段からのビデオマーカ情報に応じて時間情報を形成し、この時間情報を出力する制御手段と、
上記制御手段からの時間情報に応じて上記映像情報の記録時間を表示する表示手段とを有し、
上記制御手段は、上記走行系を所定の時間間隔で走行及び停止を繰り返すように制御しながら上記記録情報の再生を行うモードであるコマ送りモード指定された場合、停止直前を該制御手段が検出した後のビデオマーカ情報は用いず、走行系が停止してモニタ装置に表示される記録トラックの所定トラック前の記録トラックから走行状態で再生されるビデオマーカ情報を用いて、上記モニタ装置に表示される記録トラックの映像情報に応じた時間情報を形成し上記表示手段に供給することを特徴とするビデオテープレコーダ装置。
【発明の詳細な説明】
【０００１】
【産業上の利用分野】
本発明は、映像情報及び音声情報とともに、その映像情報及び音声情報の記録時間を示す時間情報をもビデオテープに斜め記録再生するようなビデオテープレコーダ装置に関する。
【０００２】
【従来の技術】
今日におけるビデオテープレコーダ装置の普及には目覚ましいものがあり、様々な機能が設けられたビデオテープレコーダ装置が普及している。
このようなビデオテープレコーダ装置の中に、映像情報，音声情報及び該映像情報，音声情報を記録した記録日時を示す情報であるビデオマーカ情報を記録情報として記録するようなビデオテープレコーダ装置が知られている。
【０００３】
上記ビデオマーカ情報を記録することができるようなビデオテープレコーダ装置は、予めセットされたタイマから上記記録日時を示す日時情報がシステムコントローラに供給される。上記システムコントローラは、記録モード時となると、上記日時情報からビデオマーカ情報を形成し、これをビデオマーカ処理回路に供給するとともに、ビデオテープを標準速度で走行させるように走行系を制御する。上記ビデオマーカ処理回路は、上記映像情報及び音声情報が供給されている記録ヘッドに、上記ビデオマーカ情報を所定のタイミングで供給する。上記記録ヘッドは、例えば再生ヘッドと並んで設けられており、いわゆる回転ヘッドとなっている。上記記録ヘッドは、上記標準速度で走行するように制御されているビデオテープ上に、上記映像情報，音声情報及びビデオマーカ情報を所定の角度をもって斜め記録して記録トラックを形成する。
【０００４】
このように上記ビデオテープ上に記録された上記映像情報，音声情報及びビデオマーカ情報は、再生モード時において、上記システムコントローラにより上記走行系が上記記録モード時と同じく標準速度となるように制御され、上記回転ヘッドの再生ヘッドにより再生される。
上記再生ヘッドにより再生された上記映像情報，音声情報及びビデオマーカ情報は、上記ビデオマーカ処理回路に供給される。上記ビデオマーカ処理回路は、この再生モード時となると上記再生ヘッドから供給される映像情報，音声情報及びビデオマーカ情報をそれぞれ分離して出力する。
【０００５】
上記ビデオマーカ処理回路から出力された音声情報は、所定の音声情報処理が施されて出力され、例えばスピーカ装置等の外部機器に供給され発音される。
また、上記ビデオマーカ処理回路から出力された映像情報は、所定の映像情報処理が施されて出力され、例えばモニタ装置等の外部機器に供給され表示される。
【０００６】
また、上記ビデオマーカ処理回路から出力されたビデオマーカ情報は、上記システムコントローラに供給される。上記システムコントローラは、上記ビデオマーカ情報に応じて日時情報を形成し、これを例えば当該ビデオテープレコーダ装置に設けられている液晶表示部（ＬＣＤ）に供給する。上記ＬＣＤは、上記システムコントローラからの日時情報の表示を行う。
【０００７】
これにより、上記映像情報，音声情報を記録した日時が上記ＬＣＤに表示される。
【０００８】
ここで、上記ビデオテープレコーダ装置は、コマ送りモードが指定された場合、上記走行系を所定の時間間隔で走行及び停止を繰り返すように制御しながら上記記録情報（映像情報，音声情報及びビデオマーカ情報）の再生を行う。このため、上記モニタ装置には、上記所定の時間間隔をおいて動くような映像が表示されることとなる。
【０００９】
なお、このコマ送りモード時に再生された上記音声情報は出力されないようになっている。
【００１０】
【発明が解決しようとする課題】
しかし、上述の従来のビデオテープレコーダ装置は、上記コマ送りモードが指定された場合、上記走行時には、上記再生ヘッドが記録トラック上を正確にトレースするため、その記録トラック上のビデオマーカ情報を再生して上記日時情報を上記ＬＣＤに表示することができるが、上記停止時となると、上記記録情報はビデオテープ上に斜め記録されているため、上記再生ヘッドが複数の記録トラックに股がってトレースを行うようになってしまい、上記ビデオマーカ情報が再生されず上記日時情報の表示が行われないという問題が生じていた。
【００１１】
また、上記停止時に、上記ビデオマーカ情報が再生されたとしても、上記再生ヘッドが複数の記録トラックに股がってトレースを行うため、上記モニタ装置に表示される映像と、上記ＬＣＤに表示される日時情報とが合致しない問題が生じていた。
【００１２】
また、上記従来のビデオテープレコーダ装置は、上記コマ送りモード時のみならず、１回のみのコマ送りと考えることができる静止画モード時にも上述の問題と同じ問題を生じていた。
【００１３】
本発明は上述の課題に鑑みてなされたものであり、上記コマ送りモード時及び静止画モード時に、映像情報に合致した正確な日時情報を確実に表示することができるようなビデオテープレコーダ装置の提供を目的とする。
【００１４】
【課題を解決するための手段】
本発明は、少なくともモニタ装置に表示される映像情報及び該映像情報の記録時間を示す情報であるビデオマーカ情報を記録情報としてビデオテープに斜め記録して該ビデオマーカ情報が長手方向の所定位置であって上記映像情報と異なる位置に記録されるように記録トラックを形成し再生するようなビデオテープレコーダ装置であって、上記ビデオテープに記録された記録情報を再生して出力する再生手段と、上記再生手段からの記録情報のうち、上記ビデオマーカ情報を検出して出力するビデオマーカ処理手段と、上記ビデオテープの走行状態を制御する走行系と、上記ビデオマーカ処理手段からのビデオマーカ情報に応じて時間情報を形成し、この時間情報を出力する制御手段と、上記制御手段からの時間情報に応じて上記映像情報の記録時間を表示する表示手段とを有し、上記制御手段は、上記走行系を所定の時間間隔で走行及び停止を繰り返すように制御しながら上記記録情報の再生を行うモードであるコマ送りモード指定された場合、停止直前を該制御手段が検出した後のビデオマーカ情報は用いず、走行系が停止してモニタ装置に表示される記録トラックの所定トラック前の記録トラックから走行状態で再生されるビデオマーカ情報を用いて、上記モニタ装置に表示される記録トラックの映像情報に応じた時間情報を形成し上記表示手段に供給することを特徴とする。
【００１６】
【作用】
本発明に係るビデオテープレコーダ装置において、制御手段は、走行系を所定の時間間隔で走行及び停止を繰り返すように制御しながら記録情報の再生を行うモードであるコマ送りモード指定された場合、停止直前を制御手段が検出した後のビデオマーカ情報は用いず、走行系が停止してモニタ装置に表示される記録トラックの所定トラック前の記録トラックから走行状態で再生されるビデオマーカ情報を用いて、上記モニタ装置に表示される記録トラックの映像情報に応じた時間情報を上記制御手段により形成し上記表示手段に供給する。
【００１７】
すなわち、上記コマ送りモード時の上記走行系が停止した際に、不正確なトラッキング状態で再生されるビデオマーカ情報を用いて時間情報を表示するのではなく、走行中に供給される正確なトラッキング状態で再生されたビデオマーカ情報から、実際に停止する位置の記録トラックに記録されているビデオマーカ情報から形成されるであろう時間情報を形成して上記表示手段に表示する。
【００１８】
【実施例】
以下、本発明に係るビデオテープレコーダ装置の好ましい実施例について図面を参照しながら説明する。
本実施例に係るビデオテープレコーダ装置は、映像情報，音声情報及び該映像情報，音声情報を記録した日時を示すビデオマーカ情報を記録情報として、いわゆる斜め記録再生するビデオテープレコーダ装置であり、図１に示すように記録日時をカウントして日時情報を出力するタイマ１と、後に説明する記録モード，再生モード及びコマ送りモード等を指定するための操作キー等が設けられている操作部２と、ビデオマーカ情報に応じて形成された記録日時を例えば液晶表示する表示部（ＬＣＤ）３と、ビデオテープ４を上記各モードに応じて走行制御する走行系５と、上記ビデオテープ４に上記記録情報を記録する記録ヘッド６と、上記ビデオテープ４に記録された記録情報を再生する再生ヘッド７と、上記記録情報の増幅を行うＲＦアンプ８と、上記記録情報に所定の情報処理を施す情報処理回路９と、上記ビデオマーカ情報に所定の情報処理を施すビデオマーカ処理手段であるビデオマーカ処理回路１０と、当該ビデオテープレコーダ装置全体の制御を行う制御手段であるシステムコントローラ１１とから構成されている。
【００１９】
なお、上記再生ヘッド７，ＲＦアンプ８及び情報処理回路９で再生手段を構成している。
【００２０】
次に、上記図１に示すような構成を有する本実施例に係るビデオテープレコーダ装置の動作説明をする。
まず、上記記録情報（映像情報，音声情報及びビデオマーカ情報）を上記ビデオテープ４に記録する記録モード時の説明をする。
この記録モードを指定するには、上記操作部２の記録モード指定キー（図示せず）をオン操作する。上記記録モード指定キーがオン操作されると、上記操作部２から記録モード指定情報が上記システムコントローラ１１に供給される。
【００２１】
上記システムコントローラ１１は、上記記録モード指定情報が供給されると、上記ビデオテープ４が標準速度で走行駆動されるように上記走行系５を制御する。
上記タイマ１は予め現在の日付及び時間を示すようにセットされており、この現在の日付及び時間を示す情報を日時情報として上記システムコントローラ１１に供給している。上記システムコントローラ１１は、この記録モードとなると、上記タイマ１から供給される日時情報に応じたビデオマーカ情報を形成し、これを上記ビデオマーカ処理回路１０を介して情報処理回路９に供給する。
【００２２】
上記情報処理回路９には、上記ビデオマーカ情報とは別に、音声入力端子１２を介して音声情報が、また、映像入力端子１３を介して映像情報がそれぞれ供給されている。上記情報処理回路９は、上記音声情報，映像情報及びビデオマーカ情報を後に説明する所定のタイミングでそれぞれ出力する。この情報処理回路９から所定のタイミングで出力される上記音声情報，映像情報及びビデオマーカ情報は、それぞれ上記ＲＦアンプ８により所定の利得で増幅され、いわゆる回転ヘッドに設けられている上記記録ヘッド６に供給される。
【００２３】
上記記録ヘッド６は、所定の回転数となるように上記システムコントローラ１１により回転制御されており、上記ＲＦアンプ８から供給される上記音声情報，映像情報及びビデオマーカ情報である記録情報を上記ビデオテープ４に所定の角度をもって斜め記録し、記録トラックを形成する。
【００２４】
上記ビデオテープ４に記録された上記記録情報の記録形態は、１つの記録トラックが例えば図２に示すようになっている。
すなわち、上記図２（ａ）に示すように、記録トラック２０の長手方向には、音声情報記録領域ＰＣＭ及び映像情報記録領域ＶＤが形成されている。音声情報ｐｃｍは、上記音声情報記録領域ＰＣＭ及び映像情報記録領域ＶＤの境界Ｇより３．０Ｈ（水平期間）分手前まで記録されており、映像情報ｖｄは、上記音声情報記録領域ＰＣＭ及び映像情報記録領域ＶＤの境界Ｇから３．８Ｈ経過したところから記録されている。また、上記ビデオマーカ情報ｍａは、上記音声情報ｐｃｍの記録が終了してから２．６５Ｈ分の時間が経過した位置から記録が開始され、ここから１．５Ｈ分の時間が経過した位置まで記録されている。
【００２５】
上記ビデオマーカ情報ｍａは、具体的には図２（ｂ）に示すように先頭から１．２６Ｈの時間が経過した位置までヘッダ情報が記録されている。このヘッダ情報としては、必要に応じて頭出し用のサーチ情報等が記録される。
また、上記ビデオマーカ情報ｍａの上記ヘッダ情報に続く残り０．２４Ｈ分には、図２（ｃ）に示す４０ビットに割りつけて、上記記録情報の記録日や記録時間等の上記日時情報が記録されている。
【００２６】
次に、このように上記ビデオテープ４に斜め記録した上記記録情報を再生する再生モード時の説明をする。
この再生モードを指定するには、上記操作部２の再生モード指定キー（図示せず）をオン操作する。上記再生モード指定キーがオン操作されると、上記操作部２から再生モード指定情報が上記システムコントローラ１１に供給される。
【００２７】
上記システムコントローラ１１は、上記再生モード指定情報が供給されると、上記ビデオテープ４が標準速度で走行駆動されるように上記走行系５を制御する。これにより、上記回転ヘッドに設けられた再生ヘッド７により上記記録情報が記録された記録トラックがトレースされ、上記記録情報が再生される。この再生された記録情報はＲＦアンプ８により所定の利得で増幅され、上記情報処理回路９に供給される。
【００２８】
上記情報処理回路９は、この再生モード時には、上記ＲＦアンプ８から供給される記録情報を、音声情報，映像情報及びビデオマーカ情報に分離する。そして、上記音声情報に所定の音声処理を施して音声出力端子１４を介して出力し、上記映像情報に所定の映像処理を施して映像出力端子１５を介して出力するとともに、上記ビデオマーカ情報を上記ビデオマーカ情処理回路１０を介してシステムコントローラ１１に供給する。なお、上記音声情報は、例えば図示しないスピーカ装置等に供給され発音される。また、上記映像情報は、例えば図示しないモニタ装置等に供給され表示される。
【００２９】
ここで、上記システムコントローラ１１はこの再生モードとなると、上記ビデオマーカ情報を分離するために上記図２（ｄ）に示すようなウインド情報ｅａを形成して上記情報処理回路９に供給する。この図２（ｄ）に示すウインド情報ｅａは、同図（ａ）に示すビデオマーカ情報ｍａの前後で立ち上がる（ハイレベルとなる）ようなタイミングで上記情報処理回路９に供給される。上記情報処理回路９は、上記システムコントローラ１１から供給されるウインド情報ｅａがハイレベルのときに上記記録情報を取り込むことにより、該記録情報から上記ビデオマーカ情報ｍａを抽出し、これを上記ビデオマーカ処理回路１０を介して上記システムコントローラ１１に供給する。
【００３０】
上記システムコントローラ１１は、上記ビデオマーカ情報から上記記録情報の記録日時を示す日時情報を形成し、これを上記表示部３に供給する。
これにより、再生された上記記録情報の記録日時を示す日時情報が上記表示部３に表示されることとなる。
【００３１】
次に、上記走行系５を所定の時間間隔で走行及び停止を繰り返すように制御しながら上記ビデオテープ４に記録されている上記記録情報の再生を行うモードであるコマ送りモード時の説明をする。
上記コマ送りモード時の当該ビデオテープレコーダ装置の動作は、図３のフローチャートに示すようになる。
【００３２】
すなわち、当該ビデオテープレコーダ装置は、例えば上記再生モード中において上記コマ送りモードが指定されると、該コマ送りモードの動作を行うようになっている。このため、上記図３に示すフローチャートは、上記再生モードとなることによりスタートとなりステップＳ１に進む。
なお、上記コマ送りモードは、再生モード中に指定されることを条件とする必要はなく、直接指定できるようにしても良い。
【００３３】
上記コマ送りモードを指定するには、上記操作部２のコマ送りモード指定キー（図示せず）をオン操作する。上記コマ送りモード指定キーがオン操作されると、上記操作部２からコマ送りモード指定情報が上記システムコントローラ１１に供給される。
上記ステップＳ１では、上記システムコントローラ１１が、上記操作部２からの上記コマ送りモード指定情報の有無を判別することにより、該コマ送りモードが指定されたか否かを判別し、ＹＥＳの場合はステップＳ２に進み、ＮＯの場合はステップＳ６に進む。
【００３４】
上記ステップＳ６では、上記コマ送りモードの指定がされていないため、上記システムコントローラ１１が、上述の再生モード時の動作を行うように当該ビデオテープレコーダ装置を制御し、上記ステップＳ１に戻る。これにより、上記通常速度で走行駆動される上記ビデオテープ４から再生された上記ビデオマーカ情報に応じた日時情報が上記表示部３に表示される。
【００３５】
上記ステップＳ１で上記システムコントローラ１１が上記コマ送りモードの指定を検出した場合、上記システムコントローラ１１は上記ステップＳ２において、上記ビデオテープ４が所定の時間間隔で標準速度での走行及び停止を繰り返すように上記走行系５を制御するとともに、該標準速度での走行及び停止が繰り返される上記ビデオテープ４から記録情報の再生を行うように上記再生ヘッド７を制御し、ステップＳ３に進む。
【００３６】
なお、上記再生ヘッド７は、上記ビデオテープ４の走行中のみならず停止中も該ビデオテープ４上の記録トラックをトレースし、上記記録情報の再生を行う。
【００３７】
上記ステップＳ３では、上記システムコントローラ１１が、上記走行系５の走行及び停止の制御のうち、該停止であるか否かを判別し、ＹＥＳの場合はステップＳ４に進み、ＮＯの場合はステップＳ７に進む。
この判別は、上記システムコントローラ１１が、上記走行及び停止を所定の時間間隔で繰り返すように、時間をカウントして制御しているため、簡単に行うことができる。
【００３８】
上記ステップＳ７では、上記システムコントローラ１１が、上記停止の制御の直前であるか否かを判別し、ＮＯの場合はステップＳ８に進み、ＹＥＳの場合はステップＳ９に進む。
【００３９】
上記ステップＳ８では、上記走行中であり、上記再生ヘッド７が上記記録トラックを正しくトレースすることができるため、上記システムコントローラ１１が、現在再生され供給されている上記ビデオマーカ情報から上記日時情報を形成しステップＳ４に進む。
【００４０】
ここで、上記記録情報（映像情報，音声情報及びビデオマーカ情報）はビデオテープ上に斜め記録されているため、このコマ送りモードの停止時となると上記再生ヘッド７が複数の記録トラックに股がってトレースを行うようになってしまう。このため、上記ビデオマーカ情報が再生されないことがあるうえ、例え再生されたとしても、上記モニタ装置に表示される映像と上記表示部３に表示される日時情報とが合致しないようになってしまう。
【００４１】
このため、上記ステップＳ９では、上記システムコントローラ１１が、上記走行系５が停止直前となったことを検出すると、上記停止時において再生された不正確なビデオマーカ情報からは上記日時情報は形成しないようにする。そして、上記走行系５が実際に停止したときに上記再生ヘッド７がトレースする上記ビデオテープ４上の記録トラックの、所定トラック前の記録トラックから上記走行時に再生された上記ビデオマーカ情報から、該実際に停止したときにトレースされる記録トラックの映像情報に応じた日時情報を演算により形成し、上記ステップＳ３に戻る。そして、上記ステップＳ３で上記走行系５の停止が検出されると上記ステップＳ４に進む。
【００４２】
上記ステップＳ４では、上記システムコントローラ１１が、上記ステップＳ８における、現在再生されているビデオマーカ情報から形成された日時情報、又は、上記ステップＳ９における、上記走行中に再生された、実際に停止する記録トラックの所定トラック前のビデオマーカ情報から形成された日時情報を上記表示部３に表示し、ステップＳ５に進む。
【００４３】
上記停止時に上記表示部３に表示される日時情報は、上記システムコントローラ１１が上記走行時に供給された、実際に停止記録トラックの所定トラック前のビデオマーカ情報を用い演算により形成したビデオマーカ情報に応じたものであるが、上記ビデオテープ４の走行速度が予め分かっているうえ、上記再生及び停止の時間をカウントしており、上記走行系５が実際に停止するまでの時間が分かるため、（すなわち、後述するようにビデオマーカ情報が再生される記録トラックが停止直前のトラックであれば、この記録トラックから実際に停止してモニタ装置に表示される映像情報が記録されたトラックまで１トラック程度であり、停止制御から停止までは瞬時と見なして良いので、）ビデオマーカ情報が再生される所定トラック前から走行したトラック数分の日時情報を加算する簡単な演算で上記停止位置の記録トラックの映像情報に合致した正確な日時情報を形成することができる。このため、正確な日時情報を上記表示部３に確実に表示することができる。
【００４４】
なお、上記システムコントローラ１１は、上記停止時となると、実際に停止する位置の記録トラックの映像情報に合致した日時情報を、上記走行時に再生された、該実際の停止位置の記録トラックの所定トラック前のビデオマーカ情報を用いて形成し上記表示部３に表示するようにしたが、上記日時情報は、実際に停止する記録トラックの直前の記録トラックから再生されたビデオマーカ情報を用いて形成するようにしても良い。
【００４５】
上記ステップＳ５では、上記システムコントローラ１１が、このコマ送りモードの終了が指定されたか否かを判別し、ＮＯの場合は上記ステップＳ３に戻り上述のルーチンを繰り返すように制御し、ＹＥＳの場合はこのコマ送りモードを終了するように当該ビデオテープレコーダ装置を制御する。
【００４６】
以上の説明から明らかなように、本発明に係るビデオテープレコーダ装置は、コマ送りモードが指定されると、上記システムコントローラ１１が、上記走行系５が実際に停止したときに上記再生ヘッド７がトレースする上記ビデオテープ４上の記録トラックの、所定トラック前の記録トラックから上記走行時に再生された上記ビデオマーカ情報から、該実際に停止したときにトレースされる記録トラックの映像情報に応じた日時情報を演算により形成することにより、若しくは、実際に停止する記録トラックの直前の記録トラックから上記走行時に再生されたビデオマーカ情報を用いて上記日時情報を形成することにより、簡単な演算で上記停止位置の記録トラックの映像情報に合致した正確な日時情報を形成し、上記表示部３に確実に表示することができる。
【００４７】
なお、上述の実施例の説明では、コマ送りモード時に、実際に停止する記録トラックの所定トラック前に記録されているビデオマーカ情報、若しくは、実際に停止する記録トラックの直前の記録トラックに記録されているビデオマーカ情報を用いて、上記実際に停止する記録トラックの日時情報を形成し、上記表示部３に供給することとしたが、上記コマ送りモードに係る映像は、所定時間の間隔をおいて連続する静止画であるとすることができることから、本発明を、上記静止画を表示する静止画モード時においても適用可能であることは明らかであり、“ビデオテープが停止される前に正常なトラッキング状態で再生されたビデオマーカ情報から、実際の停止位置の映像情報に合致した正確な時間情報を演算により形成して確実に表示する”という、本発明の主旨を逸脱しない範囲であれば種々の変更が可能であることは勿論である。
【００４８】
【発明の効果】
本発明に係るビデオテープレコーダ装置では、走行系を所定の時間間隔で走行及び停止を繰り返すように制御しながら記録情報の再生を行うモードであるコマ送りモード指定された場合、制御手段は、停止直前を制御手段が検出した後のビデオマーカ情報は用いず、走行系が停止してモニタ装置に表示される記録トラックの所定トラック前の記録トラックから走行状態で再生されるビデオマーカ情報を用いて、上記モニタ装置に表示される記録トラックの映像情報に応じた時間情報を上記制御手段により形成し上記表示手段に供給する。
【００４９】
すなわち、上記コマ送りモード時の上記走行系が停止した際に、不正確なトラッキング状態で再生されるビデオマーカ情報を用いて時間情報を表示するのではなく、走行中に供給される正確なトラッキング状態で再生されたビデオマーカ情報と上記ビデオテープの走行速度と上記走行系が実際に停止するまでに要する時間に基づいて、上記走行系が実際に停止する位置の記録トラックに記録されているビデオマーカ情報から形成されるであろう時間情報を形成して上記表示手段に供給することができるため、上記停止する位置の映像情報に合致した正確な記録時間を上記表示手段に確実に表示することができる。
【図面の簡単な説明】
【図１】本発明に係るビデオテープレコーダ装置の実施例のブロック図である。
【図２】上記実施例のビデオテープレコーダ装置において記録再生される映像情報及び音声情報の記録日時を示す情報であるビデオマーカ情報の記録形態を説明するための模式図である。
【図３】上記実施例のビデオマーカ情報のコマ送りモード時における動作を説明するためのフローチャートである。
【符号の説明】
１・・・・・・・・・・タイマ
２・・・・・・・・・・操作部
３・・・・・・・・・・表示部（ＬＣＤ）
４・・・・・・・・・・ビデオテープ
５・・・・・・・・・・走行系
６・・・・・・・・・・記録ヘッド
７・・・・・・・・・・再生ヘッド
８・・・・・・・・・・ＲＦアンプ
９・・・・・・・・・・情報処理回路
１０・・・・・・・・・ビデオマーカ処理回路
１１・・・・・・・・・システムコントローラ
１２・・・・・・・・・音声入力端子
１３・・・・・・・・・映像入力端子
１４・・・・・・・・・音声出力端子
１５・・・・・・・・・映像出力端子
【図１】
0003692150.tif 000002
【図２】
0003692150.tif 000003
【図３】
0003692150.tif 000004